(57)【要約】      （修正有）【課題】単一ケースに多様な種類のモバイル機器を装着することができるようにし、多様な種類のモバイル機器のカメラ撮影ができるようにするモバイル機器スライド装置を提供する。【解決手段】モバイル機器を保護する折畳式ケース１０に備えられ、前記モバイル機器２０を前記ケースの内外側に往復させるスライド装置１００であって、折畳式ケースの内部に取り付けられる固定プレート、モバイル機器が固定され、固定プレートにおいて第１方向に往復移動する移動プレート、及び第１方向に垂直な第２方向への移動プレートの両端がそれぞれ挿入されるように互いに向き合う方向に折り曲げられ、第１方向への移動プレートの移動をガイドするガイド片を含む。固定プレートの上面には第１方向に複数の固定凹部が互いに離隔して形成され、移動プレートの下面には複数の固定凹部に選択的に挿入される突起が形成される。【選択図】図２
0003225377.tif 000002
【実用新案登録請求の範囲】
【請求項１】
モバイル機器を保護する折畳式ケースに備えられ、前記モバイル機器を前記ケースの内外側に往復させるスライド装置であって、
前記折畳式ケースの内部に取り付けられる固定プレート；
前記モバイル機器が固定され、前記固定プレートにおいて第１方向に往復移動する移動プレート；及び
前記第１方向に垂直な第２方向への前記移動プレートの両端がそれぞれ挿入されるように互いに向き合う方向に折り曲げられ、前記第１方向への前記移動プレートの移動をガイドするガイド片を含み、
前記固定プレートの上面には前記第１方向に複数の固定凹部が互いに離隔して形成され、
前記移動プレートの下面には前記複数の固定凹部に選択的に挿入される突起が形成された、モバイル機器スライド装置。
【請求項２】
モバイル機器を保護する折畳式ケースに備えられ、前記モバイル機器を前記ケースの内外側に往復させるスライド装置であって、
前記折畳式ケースの内部に取り付けられる固定プレート；
前記モバイル機器が固定され、前記固定プレートにおいて第１方向に往復移動する移動プレート；及び
前記第１方向に垂直な第２方向への前記移動プレートの両端がそれぞれ挿入されるように互いに向き合う方向に折り曲げられ、前記第１方向への前記移動プレートの移動をガイドするガイド片を含み、
前記固定プレートは、
外部平面と、
前記外部平面より下側に陥没し、前記第１方向に長く形成され、内部には前記第１方向に複数の固定凹部が互いに離隔して形成された内部平面とを含み、
前記移動プレートの下面には、前記複数の固定凹部に選択的に挿入される突起が形成され、
前記突起を前記内部平面に案内するように、前記外部平面の端部には前記内部平面側に上向きに傾いた傾斜面が形成され、
前記外部平面の下面と前記傾斜面の最低点間の距離は、前記外部平面の下面と前記各固定凹部の最低点間の距離より短い、モバイル機器スライド装置。
【考案の詳細な説明】
【技術分野】
【０００１】
本考案はスライド装置に関するもので、より詳しくはモバイル機器を保護するケースに備えられたスライド装置に関するものである。
【背景技術】
【０００２】
一般に、スマートフォン、携帯電話などのモバイル機器は多様なサイズで発売されており、このような多様なサイズのモバイル機器の後面の特定地点にはそれぞれカメラが備えられているので、使用者はモバイル機器で写真又は動画の撮影が可能である。
【０００３】
そして、モバイル機器には、スクラッチ、破損などの事故の発生を防止し、モバイル機器を保護するためのケースが装着されて使われることもある。ここで、ケースには、モバイル機器のカメラによる撮影が可能となるように貫通口が形成されることができる。
【０００４】
また、ケースは、モバイル機器のフレームのみを保護するケース、財布状で液晶などのモバイル機器全体を保護する折畳式ケースなどの多様な種類が販売されており、各モバイル機器が装着できるように多様なサイズに製作されている。
【０００５】
すなわち、ケースとケースに備えられた貫通口は多様な種類のモバイル機器に適するように設計されるため、単一ケースを多様なモバイル機器に使うことは事実上難しいという問題点がある。
【０００６】
一方、本考案の背景となる技術は韓国登録特許第１０−１６０６４８３号公報に開示されている。
【先行技術文献】
【特許文献】
【０００７】
【特許文献１】韓国登録特許第１０−１６０６４８３号公報
【考案の概要】
【考案が解決しようとする課題】
【０００８】
本考案は上述した問題点を解決するためになされたもので、単一ケースに多様な種類のモバイル機器を装着することができるようにし、多様な種類のモバイル機器のカメラ撮影ができるようにするモバイル機器スライド装置を提供する。
【課題を解決するための手段】
【０００９】
本考案の一態様によるモバイル機器スライド装置は、モバイル機器を保護する折畳式ケースに備えられ、前記モバイル機器を前記ケースの内外側に往復させるスライド装置であって、前記折畳式ケースの内部に取り付けられる固定プレート；前記モバイル機器が固定され、前記固定プレートにおいて第１方向に往復移動する移動プレート；及び前記第１方向に垂直な第２方向への前記移動プレートの両端がそれぞれ挿入されるように互いに向き合う方向に折り曲げられ、前記第１方向への前記移動プレートの移動をガイドするガイド片を含み、前記固定プレートの上面には前記第１方向に複数の固定凹部が互いに離隔して形成され、前記移動プレートの下面には前記複数の固定凹部に選択的に挿入される突起が形成される。
【００１０】
本考案の他の態様によると、モバイル機器を保護する折畳式ケースに備えられ、前記モバイル機器を前記ケースの内外側に往復させるスライド装置であって、前記折畳式ケースの内部に取り付けられる固定プレート；前記モバイル機器が固定され、前記固定プレートにおいて第１方向に往復移動する移動プレート；及び前記第１方向に垂直な第２方向への前記移動プレートの両端がそれぞれ挿入されるように互いに向き合う方向に折り曲げられ、前記第１方向への前記移動プレートの移動をガイドするガイド片を含み、前記固定プレートは、外部平面と、前記外部平面より下側に陥没し、前記第１方向に長く形成され、内部には前記第１方向に複数の固定凹部が互いに離隔して形成された内部平面とを含み、  前記移動プレートの下面には、前記複数の固定凹部に選択的に挿入される突起が形成され、前記突起を前記内部平面に案内するように、前記外部平面の端部には前記内部平面側に上向きに傾いた傾斜面が形成され、前記外部平面の下面と前記傾斜面の最低点間の距離は、前記外部平面の下面と前記各固定凹部の最低点間の距離より短い、モバイル機器スライド装置を提供する。
【考案の効果】
【００１１】
本考案のモバイル機器スライド装置によると、折畳式ケースでモバイル機器をスライドさせることができるので、単一折畳式ケースで多様な種類のモバイル機器のカメラ撮影が可能である。
【００１２】
そして、移動プレートを固定プレートの内外部に易しく着脱することができる。
【００１３】
また、使用者が所望の地点でモバイル機器のスライドを停止させることができる。
【００１４】
また、モバイル機器が折畳式ケースから離脱することを防止することができる。
【図面の簡単な説明】
【００１５】
【図１】本考案の一実施例による折畳式ケースにモバイル機器が装着された形態の斜視図である。
【図２】図１の折畳式ケースに装着された、モバイル機器スライド装置が装着された形態の図である。
【図３】図２のモバイル機器スライド装置の斜視図である。
【図４】図３のモバイル機器スライド装置の分解斜視図である。
【図５】図４のＡ−Ａ線についての断面図である。
【図６】図４のＢ−Ｂ線についての断面図である。
【図７】本考案の他の実施例による突起を説明するための図である。
【図８】本考案のさらに他の実施例による機器スライド装置の斜視図である。
【図９】図８のＣ−Ｃ線についての断面図である。
【図１０】図４のＤ−Ｄ線についての断面図である。
【考案を実施するための形態】
【００１６】
以下、本考案の幾つかの実施例を例示的な図面に基づいて詳細に説明する。各図の構成要素に参照符号を付け加えるに当たり、同じ構成要素に対しては、たとえ他の図に示されていてもできるだけ同じ符号を付けることに留意しなければならない。
【００１７】
そして、本考案の実施例の説明において、関連の公知の構成又は機能についての具体的な説明が本考案の実施例の理解に邪魔となると判断される場合、その詳細な説明は省略する。
【００１８】
また、本考案の実施例の構成要素の説明において、第１、第２、Ａ、Ｂ、（ａ）、（ｂ）などの用語を使うことができる。このような用語はその構成要素を他の構成要素と区別するためのものであるため、その用語によって当該構成要素の本質、順番又は手順などが限定されない。
【００１９】
以下では添付図面に基づいて本考案の一実施例によるモバイル機器スライド装置を説明する。
【００２０】
図１は本考案の一実施例による折畳式ケースにモバイル機器が装着された形態の斜視図、図２は図１の折畳式ケースにモバイル機器スライド装置が装着された形態の図、図３は図２のモバイル機器スライド装置の斜視図、図４は図３のモバイル機器スライド装置の分解斜視図、図５は図４のＡ−Ａ線についての断面図、図６は図４のＢ−Ｂ線についての断面図である。
【００２１】
図１〜図６を参照すると、本考案の一実施例によるモバイル機器スライド装置１００はスマートフォンなどのモバイル機器２０をスクラッチ、破損、汚染物質などから保護するケース１０に取り付けられることができる。
【００２２】
例えば、前記モバイル機器スライド装置１００は財布型の折畳式ケース１０に備えられ、前記折畳式ケース１０の内外側に前記モバイル機器２０を往復させることができる。
【００２３】
すなわち、前記モバイル機器スライド装置１００は前記折畳式ケース１０において前記モバイル機器２０をスライドさせることができるので、前記単一折畳式ケース１０に多様な形態を有するモバイル機器の装着が可能であり、モバイル機器のカメラ撮影も可能である。
【００２４】
このようなモバイル機器スライド装置１００は、固定プレート１１０と、移動プレート１２０とを含むことができる。
【００２５】
前記固定プレート１１０は前記折畳式ケース１０の内部に取り付けられることができる。
【００２６】
例えば、前記固定プレート１１０のエッジを前記折畳式ケース１０の皮の内側に固定する方式で前記固定プレート１１０は前記折畳式ケース１０に取り付けられることができる。
【００２７】
そして、前記移動プレート１２０は、前記固定プレート１１０上で第１方向（Ｄ１）に往復移動するように、前記固定プレート１１０に取り付けられ、前記移動プレート１２０には前記モバイル機器２０が固定されることができる。
【００２８】
したがって、前記折畳式ケース１０が閉まった状態で、前記移動プレート１２０の移動によって前記モバイル機器２０の一部は前記折畳式ケース１０の外部に露出されることができる。
【００２９】
前記モバイル機器スライド装置１００はガイド片１３０をさらに含むことができる。
【００３０】
前記ガイド片１３０は、一対が互いに離隔し、互いに向き合う方向に折り曲げられることができる。
【００３１】
前記ガイド片１３０には、前記第１方向（Ｄ１）に垂直な第２方向（Ｄ２）への前記移動プレート１２０の両端がそれぞれ挿入され、前記移動プレート１２０が移動するとき、前記移動プレート１２０の移動をガイドすることができる。
【００３２】
一方、前記固定プレート１１０の上面には、複数の固定凹部１１０ａが前記第１方向（Ｄ１）に互いに離隔して形成されることができる。
【００３３】
そして、前記移動プレート１２０の下面には、前記複数の固定凹部１１０ａに選択的に挿入される突起１２０ａが形成されることができる。
【００３４】
したがって、前記突起１２０ａは前記第１方向（Ｄ１）に往復移動しながら前記複数の固定凹部１１０ａに選択的に挿着されることができる。
【００３５】
そして、前記突起１２０ａは半球状であってもよく、前記複数の固定凹部１１０ａは前記半球状の前記突起１２０ａと対応する形状であってもよい。
【００３６】
前記突起１２０ａが前記複数の固定凹部１１０ａのいずれか一つに挿入されれば、外力が加わったときにのみ、前記突起１２０ａが前記複数の固定凹部１１０ａのいずれか一つから離脱することができるから、前記モバイル機器２０は前記折畳式ケース１０から露出された後に固定されることができる。
【００３７】
一方、前記移動プレート１２０は前記突起１２０ａの両側に切開部１２０Ｌを備えることができる。
【００３８】
前記切開部１２０Ｌによって、前記突起１２０ａが形成された前記移動プレート１２０の第１部分１２０１が弾性変形できるので、前記突起１２０ａが前記複数の固定凹部１１０ａにそれぞれ挿入されるとか前記複数の固定凹部１１０ａから離脱するとき、前記突起１２０ａと前記複数の固定凹部１１０ａ間の摩擦によってその表面が変形することを防止することができる。
【００３９】
そして、前記移動プレート１２０の上面には弾性材の接着部１４０が備えられることができる。
【００４０】
前記接着部１４０は前記第１部分１２０１が変形するときに変形するから、前記モバイル機器２０が前記移動プレート１２０に取り付けられた後にも前記第１部分１２０１は円滑に弾性変形することができる。
【００４１】
図７は本考案の他の実施例による突起を説明するための図である。
【００４２】
図７をもっと参照すると、前記突起１２０ｂは前記第２方向（Ｄ２）に長く形成され、前記第１方向（Ｄ１）にふくらんでいる曲面を備えることもできる。したがって、前記複数の固定凹部１１０ａも前記突起１２０ｂに対応する形状であり得る。
【００４３】
前記突起１２０ｂが前記複数の固定凹部１１０ａから離脱するとき、前記突起１２０ｂに加わる荷重を分散させることができ、前記突起１２０ｂと前記複数の固定凹部１１０ａ間の摩擦によってその表面が変形することを防止することができる。
【００４４】
図８は本考案のさらに他の実施例による機器スライド装置の斜視図、図９は図８のＣ−Ｃ線についての断面図、図１０は図４のＤ−Ｄ線についての断面図である。
【００４５】
図８〜図１０を参照すると、本考案のさらに他の実施例によるモバイル機器スライド装置２００は、固定プレート２１０と移動プレート２２０とを含むことができる。
【００４６】
そして、前記固定プレート２１０は、外部平面２１１と内部平面２１２とを含むことができる。
【００４７】
前記内部平面２１２は前記外部平面２１１の内側に配置される。
【００４８】
前記内部平面２１２は外部平面２１１より下側に陥没し、前記第１方向（Ｄ１）に長く形成されることができる。
【００４９】
そして、前記複数の固定凹部２１０ａは前記内部平面２１２に形成されることができる。
【００５０】
前記移動プレート２２０は、突起２２０ａが下面に形成された第１部分と、前記固定プレート２１０に固定されたガイド片２３０に挿入される第２部分とを含むことができる。
【００５１】
前記外部平面２１１によって、前記突起２２０ａは前記内部平面２１２の外部への移動が制限される。したがって、前記突起２２０ａが形成された第１部分の弾性が低下すると言っても、前記移動プレート２２０が前記固定プレート２１０から離脱することが防止されるから、前記モバイル機器２０が前記折畳式ケース１０から離脱することを防止することができる。
【００５２】
一方、前記外部平面２１１の端部には、前記内部平面２１２側に上向きに傾いた傾斜面２１１ａが形成されることができる。
【００５３】
そして、前記外部平面２１１の下面と前記傾斜面２１１ａの最低点間の距離（Ｔ１）は、前記外部平面２１１の下面と前記固定凹部２１０ａの最低点間の距離（Ｔ２）より短くてもよい。
【００５４】
このような前記傾斜面２１１ａは前記突起２２０ａを前記内部平面２１２に案内するので、前記移動プレート２２０を前記固定プレート２１０の内部に易しく装着することができる。
【００５５】
以上で、本考案の実施例を構成する全ての構成要素が一つに結合する、結合して動作するものとして説明したと言っても、本考案が必ずしもこのような実施例に限定されるものではない。すなわち、本考案の目的範囲内であれば、その全ての構成要素が一つ以上に選択的に結合して動作することもできる。
【００５６】
また、以上で記載した技術的又は科学的用語を含めた全ての用語は、他に定義しない限り、本考案が属する技術分野で通常の知識を有する者によって一般的に理解されるものと同一の意味がある。前もって定義された用語のように一般的に使われる用語は関連技術の文脈上の意味と一致するものと解釈されなければならなく、本考案で明らかに定義しない限り、理想的に又は過度に形式的な意味と解釈されない。
【００５７】
そして、以上の説明は本考案の技術思想を例示的に説明したものに過ぎないもので、本考案が属する技術分野で通常の知識を有する者であれば本考案の本質的な特性から逸脱しない範囲内で多様な修正及び変形が可能であろう。したがって、本考案で開示された実施例は本考案の技術思想を限定するためのものではなくて説明するためのものであり、このような実施例によって本考案の技術思想の範囲が限定されるものではない。本考案の保護範囲は下記の請求範囲によって解釈されなければならなく、それと同等な範囲内にある全ての技術思想は本考案の権利範囲に含まれるものと解釈されなければならないであろう。
【符号の説明】
【００５８】
１００    モバイル機器スライド装置
１１０    固定プレート
１２０    移動プレート
１３０    ガイド片
【図１】
0003225377.tif 000003
【図２】
0003225377.tif 000004
【図３】
0003225377.tif 000005
【図４】
0003225377.tif 000006
【図５】
0003225377.tif 000007
【図６】
0003225377.tif 000008
【図７】
0003225377.tif 000009
【図８】
0003225377.tif 000010
【図９】
0003225377.tif 000011
【図１０】
0003225377.tif 000012